【手続補正書】
【提出日】平成24年2月8日(2012.2.8)
【手続補正１】
【補正対象書類名】特許請求の範囲
【補正対象項目名】全文
【補正方法】変更
【補正の内容】
【特許請求の範囲】
【請求項１】
左眼用２次元画像と右眼用２次元画像に対して視差量の調整量を設定する調整量設定手段と、
前記調整量設定手段により設定された調整量により視差量を変更した前記左眼用２次元画像と右眼用２次元画像の輝度値の差分を演算する差分演算手段と、
前記輝度値の差分を用いた演算量が最小となる調整量を判定することにより、最適調整量を決定する最小値判定手段と、
前記最小値判定手段により決定された前記最適調整量に基づいて、前記左眼用２次元画像と右眼用２次元画像の視差量を調整する視差量調整手段と
を備える画像処理装置。
【請求項２】
前記輝度値の差分を用いた演算量は、前記輝度値の差分の総和または分散であり、
前記最小値判定手段は、
前記輝度値の差分の総和を演算する総和演算手段と、
前記調整量設定手段により設定された複数の調整量のうち、前記輝度値の差分の総和または分散が最小となる調整量を前記最適調整量として決定する最適調整量決定手段と
を備える
請求項１に記載の画像処理装置。
【請求項３】
前記左眼用２次元画像と右眼用２次元画像を複数の領域に分割する領域分割手段を更に備え、
前記最小値判定手段は、分割された領域ごとに前記輝度値の差分の総和または分散が最小となる調整量を判定することにより、最適調整量を決定する
請求項２に記載の画像処理装置。
【請求項４】
前記最小値判定手段は、分割された領域ごとに前記輝度値の差分の総和または分散が最小となる調整量を判定し、さらに、前記輝度値の差分の総和または分散が最小となる領域数が最も多い調整量を最適調整量として決定する
請求項３に記載の画像処理装置。
【請求項５】
前記最小値判定手段は、分割された領域に対して、各領域の注視する度合いに応じた重み係数を前記輝度値の差分の総和または分散に乗算し、乗算後の前記輝度値の差分の総和または分散が最小となる領域数が最も多い調整量を最適調整量として決定する
請求項４に記載の画像処理装置。
【請求項６】
前記輝度値の差分を用いた演算量は、前記輝度値の差分が所定の閾値以上である画素数であり、
前記最小値判定手段は、
前記輝度値の差分が所定の閾値以上である画素数を計測する画素数計測手段と、
前記調整量設定手段により設定された複数の調整量のうち、前記輝度値の差分が所定の閾値以上である画素数が最小となる調整量を前記最適調整量として決定する最適調整量決定手段と
を備える
請求項１ないし５のいずれかに記載の画像処理装置。
【請求項７】
前記左眼用２次元画像と右眼用２次元画像を複数の領域に分割する領域分割手段を更に備え、
前記最小値判定手段は、分割された領域ごとに前記輝度値の差分が所定の閾値以上である画素数が最小となる調整量を判定することにより、最適調整量を決定する
請求項６に記載の画像処理装置。
【請求項８】
前記最小値判定手段は、分割された領域ごとに前記輝度値の差分が所定の閾値以上である画素数が最小となる調整量を判定し、さらに、前記輝度値の差分が所定の閾値以上である画素数が最小となる領域数が最も多い調整量を最適調整量として決定する
請求項７に記載の画像処理装置。
【請求項９】
前記最小値判定手段は、分割された領域に対して、各領域の注視する度合いに応じた重み係数を前記輝度値の差分が所定の閾値以上である画素数に乗算し、乗算後の前記輝度値の差分が所定の閾値以上である画素数が最小となる領域数が最も多い調整量を最適調整量として決定する
請求項８に記載の画像処理装置。
【請求項１０】
前記左眼用２次元画像と右眼用２次元画像とからなる第１の立体画像のデータフォーマットと、前記第１の立体画像のデータフォーマットと異なる第２の立体画像のデータフォーマットとの間でデータフォーマットを変換する変換手段をさらに備える
請求項１ないし９のいずれかに記載の画像処理装置。
【請求項１１】
前記左眼用２次元画像と右眼用２次元画像を表示する表示装置の仕様、または、立体画像としての前記左眼用２次元画像と右眼用２次元画像の仕様に応じて、前記最小値判定手段により決定された前記最適調整量を変更する制御手段をさらに備える
請求項１ないし１０のいずれかに記載の画像処理装置。
【請求項１２】
前記最小値判定手段は、
前記輝度値の差分の総和を演算する総和演算手段と、
前記調整量設定手段により設定された複数の調整量のうち、前記輝度値の差分の総和または分散が最小となる調整量を前記最適調整量として決定する第１の最適調整量決定手段と
前記輝度値の差分が所定の閾値以上である画素数を計測する画素数計測手段と、
前記調整量設定手段により設定された複数の調整量のうち、前記輝度値の差分が所定の閾値以上である画素数が最小となる調整量を前記最適調整量として決定する第２の最適調整量決定手段と
を備える
請求項１に記載の画像処理装置。
【請求項１３】
前記第１の最適調整量決定手段により決定される最適調整量か、または、前記第２の最適調整量決定手段により決定される最適調整量のいずれか一方を選択する制御手段をさらに備える
請求項１２に記載の画像処理装置。
【請求項１４】
左眼用２次元画像と右眼用２次元画像に対して視差量の調整量を設定し、
設定された調整量により視差量を変更した前記左眼用２次元画像と右眼用２次元画像の輝度値の差分を演算し、
前記輝度値の差分を用いた演算量が最小となる調整量を判定することにより、最適調整量を決定し、
決定された前記最適調整量に基づいて、前記左眼用２次元画像と右眼用２次元画像の視差量を調整する
ステップを含む画像処理方法。
【請求項１５】
コンピュータに、
左眼用２次元画像と右眼用２次元画像に対して視差量の調整量を設定し、
設定された調整量により視差量を変更した前記左眼用２次元画像と右眼用２次元画像の輝度値の差分を演算し、
前記輝度値の差分を用いた演算量が最小となる調整量を判定することにより、最適調整量を決定し、
決定された前記最適調整量に基づいて、前記左眼用２次元画像と右眼用２次元画像の視差量を調整する
処理を実行させるプログラム。
【請求項１６】
左眼用２次元画像と右眼用２次元画像に対して視差量の調整量を設定する調整量設定手段と、
前記調整量設定手段により設定された調整量により視差量を変更した前記左眼用２次元画像と右眼用２次元画像の輝度値の差分を演算する差分演算手段と、
前記輝度値の差分を用いた演算量が最小となる調整量を判定することにより、最適調整量を決定する最小値判定手段と、
前記最小値判定手段により決定された前記最適調整量に基づいて、前記左眼用２次元画像と右眼用２次元画像の視差量を調整する視差量調整手段と
前記視差量調整手段により視差量が調整された前記左眼用２次元画像と右眼用２次元画像を表示する表示手段と
を備える立体画像表示装置。
【手続補正２】
【補正対象書類名】明細書
【補正対象項目名】００５３
【補正方法】変更
【補正の内容】
【００５３】
最適調整量決定部１７は、情報記憶部１６に記憶されている、調整量と輝度差分の総和との組み合わせのなかから、輝度差分の総和が最も小さい調整量を判定（選択）することにより、最適な調整量を決定する。決定された調整量は、最適調整量情報として、視差量調整部１８に供給される。なお、輝度差分の総和の最小値が複数存在する場合、最適調整量決定部１７は、調整量の絶対値がより小さい方の調整量を、最適調整量とする。
【手続補正３】
【補正対象書類名】明細書
【補正対象項目名】００８２
【補正方法】変更
【補正の内容】
【００８２】
ステップＳ２９において、調整量設定部１３は、調整範囲と調整間隔に基づいて特定される全ての調整量について、輝度値の差分が閾値TH以上である画素数を求めたかを判定する。ステップＳ２９で、全ての調整量について閾値TH以上の画素数を求めていないと判定された場合、処理はステップＳ２４に戻り、ステップＳ２４乃至ステップＳ２９の処理が繰り返される。即ち、まだ設定されていない調整量が調整量情報として差分演算部１４と情報記憶部１６Aに供給され、所定の調整量における閾値TH以上の画素数が演算される。
【手続補正４】
【補正対象書類名】明細書
【補正対象項目名】０１０３
【補正方法】変更
【補正の内容】
【０１０３】
図１４は、調整量が“＋１”である場合に、差分演算部１４により演算された各画素の輝度値の差分を示している。図１４で示される各画素の輝度値の差分に対して、“５７２８”が輝度差分の総和として得られる。情報記憶部１６は、調整量“＋１”と輝度差分の総和“５７２８”とを対応付けて記憶する。
【手続補正５】
【補正対象書類名】明細書
【補正対象項目名】０１０５
【補正方法】変更
【補正の内容】
【０１０５】
最適調整量決定部１７は、情報記憶部１６に記憶されている、調整量と輝度差分の総和との組み合わせのなかから、輝度差分の総和が最も小さい調整量を判定する。いま情報記憶部１６には、調整量“０”と輝度差分の総和“６６１６”の対、調整量“−２”と輝度差分の総和“９４１６”の対、調整量“−１”と輝度差分の総和“４８３２”の対、調整量“＋１”と輝度差分の総和“５７２８”の対、および、調整量“＋２”と輝度差分の総和“８７７６”の対が、記憶されている。最適調整量決定部１７は、それらのなかから、輝度差分の総和が最小である“４８３２”に対応する調整量“−１”を最適調整量と決定し、最適調整量情報として、視差量調整部１８に供給する。
【手続補正６】
【補正対象書類名】明細書
【補正対象項目名】０１５６
【補正方法】変更
【補正の内容】
【０１５６】
ステップＳ５５において、調整量設定部１３は、取得した調整範囲と調整間隔に基づいて所定の調整量を設定し、設定した調整量を、調整量情報として差分演算部１４および情報記憶部１６Bに供給する。差分演算部１４の領域分割部６２は、調整量情報で特定される所定の調整量を用いて、左眼用２次元画像と右眼用２次元画像の視差量を変更する。
【手続補正７】
【補正対象書類名】明細書
【補正対象項目名】０１９４
【補正方法】変更
【補正の内容】
【０１９４】
領域分割した第１の視差量調整処理では、図２４乃至図２８の各領域の上段に示される、輝度差分の総和が、調整量と対応付けられて、情報記憶部１６Bに記憶される。
【手続補正８】
【補正対象書類名】明細書
【補正対象項目名】０１９５
【補正方法】変更
【補正の内容】
【０１９５】
一方、領域分割した第２の視差量調整処理では、図２４乃至図２８の各領域の下段に示される、閾値TH以上の画素数が、調整量と対応付けられて、情報記憶部１６Bに記憶される。